(57)【要約】【課    題】湿式製法のセキュリティパネルの耐錐性が高い長所を、鋼製芯材を使用することによって更に向上させる一方、湿式製法のセキュリティパネルの難点であったモルタル製芯材による重量の問題を軽減したセキュリティパネルを提供すること。【解決手段】細長い金属板材の長さ方向に等ピッチで縦向きの細溝１ｃを形成した複数の板状芯部材１を、前記細溝１ｃを上向きにして平行に並べる一方、この平行に並べた前記芯部材１に対し、前記細溝１ｃを下向きにし、かつ、前記芯部材１と直交する向きで平行に配列される複数の板状芯部材１を、両芯部材１の対向した細溝１ｃ同士を嵌合させて平面格子状の芯材Ｃｍに組立て、この格子状芯材Ｃｍを金属板製の外皮部材２，３で覆い、当該外皮部材２，３の内部に軽量モルタルＭｏを充填して形成したこと。【選択図】    図４
2004150179.tif 000002
【特許請求の範囲】
【請求項１】
細長い金属板材の長さ方向に等ピッチで縦向きの細溝を形成した複数の板状芯部材を、前記細溝を上向きにして平行に並べる一方、この平行に並べた前記芯部材に対し、前記細溝を下向きにし、かつ、前記芯部材と直交する向きで平行に配列される複数の板状芯部材を、両芯部材の対向した細溝同士を嵌合させて平面格子状の芯材に組立て、この格子状芯材を金属板製の外皮部材で覆い、当該外皮部材の内部に軽量モルタルを充填して形成したことを特徴とするセキュリティパネル。
【請求項２】
板状芯部材は、その断面形状を略Ｌ形又は略┐形に形成した請求項１のセキュリティパネル。
【請求項３】
板状芯部材は、各細溝の間に切り起し穴を設けた請求項１又は２のセキュリティパネル。
【請求項４】
細長い鋼材の長さ方向に等ピッチで縦向きの細溝を形成した複数の板状芯部材を、前記細溝を上向きにして平行に並べる一方、この平行に並べた前記芯部材に対し、前記細溝を下向きにし、かつ、前記芯部材と直交する向きで平行に配列される複数の板状芯部材を、両芯部材の対向した細溝同士を嵌合させて平面格子状に組立てたことを特徴とするセキュリティパネル用の芯材。
【請求項５】
板状芯部材は、その断面形状を略Ｌ形又は略┐形に形成した請求項４のセキュリティパネル芯材。
【請求項６】
板状芯部材は、各細溝の間に切り起し穴を設けた請求項４又は５のセキュリティパネル芯材。
【発明の詳細な説明】
【０００１】
【発明の属する技術分野】
本発明は、耐火性，耐錐性を要求される金庫室等の側壁等を作製する場合などに使用するセキュリティパネルとその芯材に関する。
【０００２】
【従来の技術】
従来より、耐火性，耐錐性を要求される金庫室の周側壁等の作製に際しては、鋼板を箱状に形成してその中に耐錐材等が混入されたモルタルを流し込んで製造される湿式製法のセキュリティパネルを使用するのが一般的であり、前記モルタルによってセキュリティパネルの耐火性，耐熱性を担保すると共に、耐錐性を持たせて防盗性を担保していた。
【０００３】
従来の湿式製法のセキュリティパネルは、鋼板により箱状に形成したパネル外皮の内部にモルタルを充填しそれを固化させてセキュリティパネルを形成している。このため、湿式製法のセキュリティパネルでは、需要に迅速に対応するために予めパネルを作製し在庫しておく必要があった。しかし乍ら、耐錐材等を混入したモルタルを充填した湿式製法のセキュリティパネルでは、そのパネル自体の重量が大きくなりがちであるため、その在庫保管や保管場所での搬入，搬出等の取扱いが容易でないという問題があった。
【０００４】
そこで、最近では耐錐材等を混入したモルタルに代え、耐火材として予めブロックパネル状に形成された石綿スレート系パネルなどの乾式パネルを芯材として用い、この芯材を鋼板で覆ったタイプのものが使用されるようになった。乾式パネルによる耐火材（芯材）は比較的軽量であるため、これを用いて金庫室等の側壁に使用するセキュリティパネルを作製する場合、従来のモルタル充填型の湿式製法のセキュリティパネルに比べ、金庫室等の作業現場においても製造が可能になる上、比較的軽量であるため取扱いも容易になり、耐火性にも優れているという利点がある反面、乾式パネル芯材の外面を鉄板で覆っただけでセキュリティパネルに形成しているので耐錐性に劣り、ドリルのような尖鋭な工具や利器により鉄板と一緒に容易に穿孔されてしまい、防盗性に難があった。
【０００５】
また、既製乾式パネルを耐火材として用いてセキュリティパネルを作製する場合、通常は、鉄板により片面を覆った２枚の耐火材を、その耐火材における鉄板で覆われない面同士を対面当接させ、当該当接面を接着剤により接着して合体し１枚のセキュリティパネルに形成していたが、当接面の全面に接着剤を用いているため、接着剤の乾燥に時間がかかるという別の問題もある。
【０００６】
このような従来技術に鑑み、本発明の出願人は、耐錐材で補強した軽量耐火材を芯材とし、その外周を金属板により覆うだけで当接面に接着剤を使用しないでセキュリティパネルを構成することにより、当該パネルを現場で簡易に作製することができる乾式製法のセキュリティパネルを、先に提案している（例えば、特許文献１、特許文献２参照）。
【０００７】
【特許文献１】
特開２０００−２９１３４０号公報（第２頁−３頁、図５）
【特許文献２】
特開２００２−９７８４４号公報（第３頁−４頁、図６）
【０００８】
しかし乍ら、従来の乾式製法のセキュリティパネルは、既製乾式パネルによる耐火芯材を鋼製の耐錐材により補強した構造のものであっても、乾式パネルによる芯材自体の耐錐性が低いため、セキュリティパネル全体としての耐錐性はなお十分とはいえない面があることが判った。
【０００９】
【発明が解決しようとする課題】
そこで本発明では湿式製法のセキュリティパネルの耐錐性が高い長所を、鋼製芯材を使用することによって更に向上させる一方、湿式製法のセキュリティパネルの難点であったモルタル製芯材による重量の問題を軽減したセキュリティパネルを提供することを、その課題とする。
【００１０】
【課題を解決するための手段】
上記課題を解決することを目的としたなされた本発明セキュリティパネルの構成は、細長い金属板材の長さ方向に等ピッチで縦向きの細溝を形成した複数の板状芯部材を、前記細溝を上向きにして平行に並べる一方、この平行に並べた前記芯部材に対し、前記細溝を下向きにし、かつ、前記芯部材と直交する向きで平行に配列される複数の板状芯部材を、両芯部材の対向した細溝同士を嵌合させて平面格子状の芯材に組立て、この格子状芯材を金属板製の外皮部材で覆い、当該外皮部材の内部に軽量モルタルを充填して形成したことを特徴とするものである。
【００１１】
本発明セキュリティパネルでは、上記構成において、板状芯部材は、その断面
2004150179.tif 000003
り起し穴を設けた形態としたものを使用することができる。
【００１２】
【発明の実施の形態】
次に本発明の実施の形態例について、図に拠り説明する。図１は本発明セキュリティパネル用の芯材の平面図、図２は図１の芯材の正面図、図３は図１の芯材の右側面図、図４は本発明セキュリティパネルの一例の構造を説明するための分解斜視図、図５は図４のセキュリティパネルの手前側側面図、図６は図４のセキュリティパネルの右側の側面図、図７は図５のＡ部の拡大図、図８は図５のＢ部の拡大図、図９は図６のＣ部の拡大図、図１０は図６のＤ部の拡大図、図１１は本発明はセキュリティパネル同士の接合部の要部の断面図、図１２は本発明セキュリティパネルを床上に立設した要部の断面図、図１３は芯部材における横メンバと縦メンバの斜面図、図１４は端面枠体の要部の斜視図である。
【００１３】
図１〜図４において、１は、本発明セキュリティパネルＳＰにおける芯材Ｃｍを形成する芯部材で、一例として次の構成を具備している。即ち、芯部材１は少なくとも０．６ｍ厚以上で幅が６０〜７０ｍｍ程度の長尺鋼板を断面略Ｌ字状に曲げて垂直辺１ａと水平辺１ｂを形成し、このＬ字状鋼板の垂直辺１ａに、略５０ｍピッチで当該垂直辺１ａの高さの略１／２の深さを有する切り込みによる細溝１ｃを形成すると共に、各切り溝１ｃの中間部位に一辺が１５ｍｍ程度の切り起し穴１ｄを形成したものである。ここで、切り起し穴１ｄの下辺には水平姿勢で切り起し片１ｅが垂直辺１ａから突出している。なお、上記芯部材１の寸法数値は一例であって、本発明では上記数値以外の芯部材１の形態であってよいこと勿論である。
【００１４】
上記芯部材１は、長さが例えば３ｍや４ｍ程度の定尺の帯状鋼板に、上記垂直辺１ａから切り起し片１ｅまでの各構成部の創成をプレス加工により行い、芯材Ｃｍを構成する縦メンバ１ｖと横メンバ１ｈの夫々の長さに切断する。縦メンバ１ｖと横メンバ１ｈの長さは、本発明セキュリティパネルの高さと正面幅に見合う大きさである。また、前記切断においては、各メンバ１ｖ，１ｈとも、各メンバ端面からの細溝１ｃの位置が一致するように切断する（図１３参照）。
【００１５】
上記のように、各細溝１ｃの位置が各メンバ１ｖ，１ｈとも揃うようにして、一定長さに切断された縦，横メンバ１ｖ，１ｈを形成する芯部材１は、一例としてその複数本を縦メンバ１ｖとして、その水平辺１ｂを下に位置付け（つまり、細溝１ｃを上方へ向け）て縦向きに水平に配列する一方、配列する縦メンバ１ｖに対応する横メンバ１ｈをその水平辺１ｂを上に位置付け（つまり、細溝１ｃを下方へ向け）て横向きの姿勢で配列するが、この配列においては、前記平行に列設した縦メンバ１ｖの各細溝１ｃに、横メンバ１ｈの細溝１ｃを嵌挿させて、図１に平面形状の要部を、図２に正面状態の要部を、図３に側面状態の要部を夫々に示したように、組合せる縦，横メンバ１ｖ，１ｈ全体が格子状をなす芯材Ｃｍを形成する。
【００１６】
上記のようにして形成される本発明セキュリティパネル用の芯材Ｃｍは、使用したすべての芯部材１の垂直辺１ａが、縦メンバ１ｖと横メンバ１ｈとして用いられて格子状に組立てられると共に、各垂直辺１ａがその上，下の水平辺１ｂ，１ｂによって補強され、かつ、各切り起し片１ｅが各格子目の周壁面から内部側に突出した状態で位置するので、平面から見た格子目の大略１／２の面積は、略均等な分布状態で鋼板製の芯部材１の構成部位が存在することとなり、至って耐錐性能が高い芯材Ｃｍに形成されることとなる。
【００１７】
上記芯材Ｃｍは、図４に例示するように、その格子面の上面と下面から鋼製パネルによる表面外皮２と裏面外皮３によって挟むと共に、この芯材Ｃｍの左右側の側面と上下側の端面をそれぞれの面に対応した前記外皮２と３に取付けられた左，右の側面枠体４，５と、上，下の端面枠体６，７とに挟ませた態様で、前記表，裏面外皮２，３の間に位置付けられる。図４において２ａは表面外皮２の隅部に設けたモルタルの注入穴であるが、この注入穴２ａは、前記外皮のどこに設けてもよい。
【００１８】
ここで、上記の左，右の側面枠体４，５と上下の端面枠体６，７の構成例について、図４、並びに、図７〜図１０、図１４を参照しつつ説明する。なお、図４と図７，図８の左右の側面枠体４，５は、天地が逆に表されているが、本発明において側面枠体４，５の天地の向きは図４、或は、図７，図８のいずれの向きであっても、問題なく適用可能である。
【００１９】
図４において、左側の側面枠体４は、断面略コ状の第一縦枠部材４ａと、断面略段階コ状の第二縦枠部材４ｂと、両部材４ａ，４ｂの間に挟まれるケイ酸カルシウム板などの無機材による遮熱部材４ｃにより形成され、図８に示す断面構造で外側面に凹溝４ｄを有する側面枠体４に形成されている。
【００２０】
一方、図４における右側の側面枠体５は、断面が略クランク状の第三縦枠部材５ａと、略段階コ状の第四縦枠部材５ｂと、両部材５ａ，５ｂの間に挟まれるケイ酸カルシウム板などの無機材による遮熱部材５ｃにより形成され、図７に示す断面構造で外側面に、前記凹溝４ｄに嵌入可能な側面凸条５ｄを有する側面枠体５に形成されている。
【００２１】
上記の左右の側面枠体４，５において、上，下の縦枠部材４ａ，４ｂの間、同じく縦枠部材５ａ，５ｂの間に、それぞれ遮熱部材４ｃ，５ｃを挿入しているのは、各側面枠体４と５が取付けられる表面外皮２と裏面外皮３の間でのヒートブリッジ現象を遮断するためである。
【００２２】
次に、上下の端面枠体６，７は、図４、並びに、図９，図１０，図１４に示すように、上、下で対称な向きで対応した断面Ｌ状部６ａ，６ｂ（端面枠体７では同様のＬ状部７ａ，７ｂ）を、その中間部と両端近くにおいて断面略く字状の細い連結部６ｃ（端面枠体７では連結部７ｃ）により結合一体化した形態で形成されており、上位のＬ状部６ａ（７ａ）が表面外皮２に接合され、下位のＬ状部６ｂ（７ｂ）が裏面外皮３に接合されることにより、前記表，裏面外皮２，３の上下の端面枠体６，７に形成されるのである。
【００２３】
上記の上，下端面枠体６，７において、上下のＬ状部６ａ，６ｂ、同７ａ，７ｂが細い連結部６ｃと７ｃにより結合されるのは、上述の側面枠体４，５における遮熱部材４ｃ，５ｃと同旨で、表，裏面外皮２，３の間でのヒートブリッジ現象を抑制するためである。
【００２４】
上記のようにして芯材Ｃｍを内部に置いた状態で当該芯材Ｃｍを、上記の表裏面外皮２，３、左右の側面枠体４，５、上下の端面枠体６，７により形成される外皮で被覆すると、上下の端面枠体６，７におけるＬ状部６ａ，６ｂ、同７ａ，７ｂの間に、隙間ｇが残ってしまい、外皮内に気泡モルタルＭｏの注入ができない。
【００２５】
そこで本発明では、上下の端面枠体６，７における上記隙間ｇを、一例としてアルミテープ８，９で塞ぎ、この状態で、外皮内部にモルタルＭｏを注入して硬化させ、本発明セキュリティパネルＳＰの一例を形成するのである。
【００２６】
以上により、本発明セキュリティパネルＳＰの一例を形成するので、次にその製造手順の例について、図４を参照して説明する。
まず、裏面外皮３に側面枠体４，５における縦枠部材４ｂ，５ｂをプラグ溶接等により取付けると共に、上下の端面枠体６，７における下位のＬ状部６ｂ，７ｂをプラグ溶接等により取付ける。このとき、縦枠部材４ｂ，５ｂとＬ状部６ｂ，７ｂとの取り合いを調整すると共に、各部材４ｂ，５ｂと６ｂ，７ｂ同士の当接部位も突合せ溶接等により接合する。
【００２７】
上記縦枠部材４ｂ，５ｂの上面に遮熱部材４ｃ，５ｃを両面テープなどにより仮止めする。仮止めした遮熱部材４ｃ，５ｃの上面に、側面枠体４，５における上位の縦枠部材４ａ，５ａを載置し、遮熱部材４ｃ，５ｃを通して下位の枠部材４ｂ，５ｂにビス止め等により固定する。
【００２８】
上記固定の際、前記縦枠部材４ａ，５ａと上下の端面枠体６，７における上位のＬ状部６ａ，７ａとの取り合いを調整し、かつ、各部材同士の当接部位を溶接等により接合する。この接合の後、表面外皮２を枠部材４ａ，５ａと位置のＬ状部６ａ，７ａの上に載置し、プラグ溶接等によって取付ける。
【００２９】
上記のようにして形成した鋼板製外皮の中で芯材Ｃｍが当該外皮の中央に位置するように、ライナー（図示せず）などを用いて調整し溶接等によって外皮内に当該芯材Ｃｍを仮止めする。そして、上下の端面枠体６，７の隙間ｇをアルミテープ８，９を貼着することにより塞ぎ、表面外皮２のモルタル注入穴２ａから気泡モルタルＭｏを外皮内に注入充填し、それを硬化させることにより、本発明セキュリティパネルＳＰが製造される。
【００３０】
上記のようにして製造された本発明セキュリティパネルＳＰは、当該パネル同士の幅方向での接合は、図１１に示すように、一方のセキュリティパネルＳＰ１の右側の側面枠体４の凹溝４ｄに他方のセキュリティパネルＳＰ２の左側の側面枠体５の凸条５ｄを嵌合させて行う。このとき凹溝４ｄと凸条５ｄの接合面の隙間には、加熱発泡剤を充填し、熱気の吹出しを未然に防止するようにする。この加熱発泡剤は、上記の遮熱部材４ｃ，５ｃと縦枠部材４ａ，４ｂ、同５ａ，５ｂの間に介在させることもできる。
【００３１】
また、図１２に例示した床Ｆに対する本発明セキュリティパネルの載置では、一例として床Ｆの上に、このパネルを下から支える断面略凹状をなすパネルベース１０をアンカーボルト１１などにより床Ｆに止め、前記ベース１０の凹部に本発明セキュリティパネルの下部（下端面枠体７の部分）を嵌入して支持させる。なお、１２はパネルベース１０の立壁に設けた遮熱材としての石こうボードである。以上において、芯部材１，表裏の外皮２，３は鋼板製のもののほか、ステンレスやその他適宜合金製の板材により形成することができる。
【００３２】
【発明の効果】
以上のような構造を有する本発明セキュリティパネルと芯材は、次の諸効果を奏する。
まず、パネルの芯材を鋼板を加工した芯部材を格子状に組立てて形成するので、鉄筋を格子状に組んだ芯材よりも軽量であり、また、格子状芯材は、鋼板の曲げ加工や切り起し加工によって耐破壊性能を確保する形態が付与されているので、耐破壊性能も高い。
【００３３】
格子状芯材は、同一形態の芯部材を縦，横メンバとして使用しているので部品点数が少なくなり、材料コスト，加工コストの面で有利である。
【００３４】
また、格子状芯材は垂直辺と、水平辺により形成され、しかも切り起し穴と切り起し片を具備しているので、注入充填されるモルタルとの接触面が多くなって、モルタルとの強固な一体化を実現でき、耐火性とともに耐錐性などの耐破壊性能を一段と向上させたセキュリティパネルを提供することができる。
【図面の簡単な説明】
【図１】本発明セキュリティパネル用の芯材の平面図
【図２】図１の芯材の正面図
【図３】図１の芯材の右側面図
【図４】本発明セキュリティパネルの一例の構造を説明するための分解斜視図
【図５】図４のセキュリティパネルの手前側側面図
【図６】図４のセキュリティパネルの右側の側面図
【図７】図５のＡ部の拡大図
【図８】図５のＢ部の拡大図
【図９】図６のＣ部の拡大図
【図１０】図６のＤ部の拡大図
【図１１】本発明はセキュリティパネル同士の接合部の要部の断面図
【図１２】本発明セキュリティパネルを床上に立設した要部の断面図
【図１３】芯部材における横メンバと縦メンバの斜面図
【図１４】端面枠体の要部の斜視図
【符号の説明】
１        芯部材
１ａ        垂直辺
１ｂ        水平辺
１ｃ        細溝
１ｄ        切り起し穴
１ｅ        切り起し片
１ｖ        縦メンバ
１ｈ        横メンバ
２        表面外皮
２ａ        注入穴
３        裏面外皮
４，５    側面枠体
４ａ        第一縦枠部材
４ｂ        第二縦枠部材
４ｃ        遮熱部材
４ｄ        外側面凹溝
５ａ        第三縦枠部材
５ｂ        第四縦枠部材
５ｃ        遮熱部材
６，７    端面枠体
６ａ，７ａ    Ｌ状部
８，９    アルミテープ
１０        パネルベース
１１        アンカーボルト
１２        石こうボード
Ｃｍ        芯材
Ｍｏ        気泡モルタル
ＳＰ        セキュリティパネル
【図１】
2004150179.tif 000004
【図２】
2004150179.tif 000005
【図３】
2004150179.tif 000006
【図４】
2004150179.tif 000007
【図５】
2004150179.tif 000008
【図６】
2004150179.tif 000009
【図７】
2004150179.tif 000010
【図８】
2004150179.tif 000011
【図９】
2004150179.tif 000012
【図１０】
2004150179.tif 000013
【図１１】
2004150179.tif 000014
【図１２】
2004150179.tif 000015
【図１３】
2004150179.tif 000016
【図１４】
2004150179.tif 000017